(57)【要約】【課題】本発明は、レゾルバハーネスの引出し方向を輪状ステータの一面のみの面方向に対して所定角度傾斜させ、輪状ステータの取付けを容易化することである。【解決手段】本発明によるレゾルバステータのハーネス構造は、レゾルバハーネス(10)は、第１輪状絶縁キャップ(3)と樹脂製カバー(23)との間を経て外部に導出され、レゾルバハーネス(10)の長手方向(A)は、輪状ステータ(1)の一面(1a)のみの面方向(C)に対し、かつ、一面(1a)の外方へ向けて所定角度（θ）傾斜している構成である。【選択図】図１
2015055587.tif 000002
【特許請求の範囲】
【請求項１】
所定角度間隔で内方へ向けて突出する多数の突出磁極(2)を有する輪状ステータ(1)と、前記輪状ステータ(1)の両面に一体又は別体で設けられた第１、第２輪状絶縁キャップ(3,3A)と、前記各突出磁極(2)に対し前記各輪状絶縁キャップ(3,3A)を介して巻回されたステータ巻線(4)と、前記輪状ステータ(1)の一面(1a)側に位置する前記第１輪状絶縁キャップ(3)内に設けられ端子ピン(6)を有する圧着端子(20)と、前記圧着端子(20)に圧着され外部に導出されたレゾルバハーネス(10)と、前記輪状ステータ(1)の外縁(1B)に設けられた樹脂製カバー(23)と、よりなり、
前記レゾルバハーネス(10)は、前記第１輪状絶縁キャップ(3)と前記樹脂製カバー(23)との間を経て外部に導出されると共に、前記レゾルバハーネス(10)の長手方向(A)は前記輪状ステータ(1)の一面(1a)のみの面方向(C)に対し、かつ、前記一面(1a)の外方へ向けて所定角度（θ）傾斜していることを特徴とするレゾルバステータのハーネス構造。
【請求項２】
前記第１輪状絶縁キャップ(3)の外縁の下面に形成された第１傾斜面(25)と前記樹脂製カバー(23)の上面に形成され前記第１傾斜面(25)と対向する第２傾斜面(26)との間に形成された隙間(24)を、前記レゾルバハーネス(10)が貫通していることを特徴とする請求項１記載のレゾルバステータのハーネス構造。
【請求項３】
前記端子ピン(6)は前記第１輪状絶縁キャップ(3)から外方(B)へ突出し、前記樹脂製カバー(23)の延長部(23A)の突起(23Aa)は、前記圧着端子(20)の裏面(20A)に当接していることを特徴とする請求項１又は２記載のレゾルバステータのハーネス構造。
【請求項４】
前記第１輪状絶縁キャップ(3)の外方(B)には、前記端子ピン(6)及び前記ステータ巻線(4)を覆うための輪状巻線カバー(22A)が設けられていることを特徴とする請求項１ないし３の何れかに記載のレゾルバステータのハーネス構造。
【発明の詳細な説明】
【技術分野】
【０００１】
本発明は、レゾルバステータのハーネス構造に関し、特に、レゾルバハーネスの引出し方向を輪状ステータの一面のみの面方向に対して所定角度傾斜させるための新規な改良に関する。
【背景技術】
【０００２】
従来、用いられていたこの種のレゾルバステータのハーネス構造としては、例えば、特許文献１及び特許文献２の構成を挙げることができる。
すなわち、図３で示される特許文献１の構成の場合、輪状ステータ１の一部には端子ピン保持部７が半径方向に沿って延設され、この輪状ステータ１の各磁極２には輪状絶縁部材３を介してステータ巻線４が巻回されている。
【０００３】
前記各ステータ巻線４の端線４ａは、前記端子ピン保持部７に設けられた複数の端子６にからげられ、各端子６に接続された外部引出しリード線１０は外部に導出されている。
【０００４】
また、図４及び図５で示される特許文献２の構成においては、輪状ステータ１に設けられた輪状絶縁カバー３の一部にこれと一体に成形された端子ピン保持部７が設けられていると共に、この端子ピン保持部７に設けられた各端子ピン８には、前記輪状ステータ１の各磁極２に巻回されたステータ巻線６の端線がからげられている。
前記端子ピン保持部７にはリード線が接続され、外部に導出されている。
【先行技術文献】
【特許文献】
【０００５】
【特許文献１】特開２００６−１０７８６９号公報
【特許文献２】特開２００６−２２３０５９号公報
【発明の概要】
【発明が解決しようとする課題】
【０００６】
従来のレゾルバステータのハーネス構造は、以上のように構成されているため、次のような課題が存在していた。
すなわち、図３の特許文献１の構成の場合、端子ピン保持部の各端子に接続された各半田部に対して外部引出しリード線を半田接続していたため、輪状ステータの面に対して同じ面方向に延設された端子ピン保持部を介して外部引出しリード線が接続されることになり、レゾルバが搭載される電動モータによっては、レゾルバの半径方向、並びに、レゾルバの軸方向にレゾルバハーネスが引き出されると、他の部品と干渉することがあった。
そのため、干渉防止のために外部引出しリード線を、例えば、９０度曲折させて電動モータに搭載する方法や、適正方向へ成形されたハーネスモールド部品を別体としてレゾルバに取付ける方法が提案されているが、ハーネス先端の圧着端子にストレスが加わる恐れがあり、また分割構造とならざるを得ない等の課題が存在していた。
【０００７】
また、図４及び図５に示される特許文献２の場合、図３の構成と同様に、端子ピン保持部が輪状ステータの面の面方向と同じ水平方向に突出して延設されているため、前述と同様の課題が存在していた。
また、図３から図５で示される従来構成の場合、端子を保持するための端子ピン保持部が輪状ステータの外周面から外方に大きく突出しているため、平面的に見ると輪状ステータの直径が部分的に大きく径大化することになり、装置等への取付けに際し、装置側の設計に大きい制約をもたらすことになっていた。
【０００８】
本発明は、以上のような課題を解決するためになされたもので、特に、レゾルバハーネスの引出し方向を輪状ステータの一面のみの面方向に対して所定角度傾斜されるようにしたレゾルバステータのハーネス構造を提供することを目的とする。
【課題を解決するための手段】
【０００９】
本発明によるレゾルバステータのハーネス構造は、所定角度間隔で内方へ向けて突出する多数の突出磁極を有する輪状ステータと、前記輪状ステータの両面に一体又は別体で設けられた第１、第２輪状絶縁キャップと、前記各突出磁極に対し前記各輪状絶縁キャップを介して巻回されたステータ巻線と、前記輪状ステータの一面側に位置する前記第１輪状絶縁キャップ内に設けられ端子ピンを有する圧着端子と、前記圧着端子に圧着され外部に導出されたレゾルバハーネスと、前記輪状ステータの外縁に設けられた樹脂製カバーと、よりなり、前記レゾルバハーネスは、前記第１輪状絶縁キャップと前記樹脂製カバーとの間を経て外部に導出されると共に、前記レゾルバハーネスの長手方向は前記輪状ステータの一面のみの面方向に対し、かつ、前記一面の外方へ向けて所定角度傾斜している構成であり、また、前記第１輪状絶縁キャップの外縁の下面に形成された第１傾斜面と前記樹脂製カバーの上面に形成され前記第１傾斜面と対向する第２傾斜面との間に形成された隙間を、前記レゾルバハーネスが貫通している構成であり、また、前記端子ピンは前記第１輪状絶縁キャップから外部へ突出し、前記樹脂製カバーの延長部の突起は、前記圧着端子の裏面に当接している構成であり、また、前記第１輪状絶縁キャップの外方には、前記端子ピン及び前記ステータ巻線を覆うための輪状巻線カバーが設けられている構成である。
【発明の効果】
【００１０】
本発明によるレゾルバステータのハーネス構造は、以上のように構成されているため、次のような効果を得ることができる。
すなわち、所定角度間隔で内方へ向けて突出する多数の突出磁極を有する輪状ステータと、前記輪状ステータの両面に一体又は別体で設けられた第１、第２輪状絶縁キャップと、前記各突出磁極に対し前記各輪状絶縁キャップを介して巻回されたステータ巻線と、前記輪状ステータの一面側に位置する前記第１輪状絶縁キャップ内に設けられ端子ピンを有する圧着端子と、前記圧着端子に圧着され外部に導出されたレゾルバハーネスと、前記輪状ステータの外縁に設けられた樹脂製カバーと、よりなり、前記レゾルバハーネスは、前記第１輪状絶縁キャップと前記樹脂製カバーとの間を経て外部に導出されると共に、前記レゾルバハーネスの長手方向は前記輪状ステータの一面のみの面方向に対し、かつ、前記一面の外方へ向けて所定角度傾斜していることにより、レゾルバの部品を増やすことなく、かつ、レゾルバハーネスにストレスをかけることなく、適正な方向へのハーネスの導出が容易となる。また、輪状ステータの一面のみから斜め方向にハーネスが導出されているため、ハーネスを曲折させやすく、装置等へのレゾルバの取付けが容易となる。
また、前記第１輪状絶縁キャップの外縁の下面に形成された第１傾斜面と前記樹脂製カバーの上面に形成され前記第１傾斜面と対向する第２傾斜面との間に形成された隙間を、前記レゾルバハーネスが貫通していることにより、ハーネスを曲折させた場合でも、圧着端子との取付部分のハーネスは第１輪状絶縁キャップと樹脂製カバーとの間で保持され、ハーネスの損傷を防止できる。
また、前記端子ピンは前記第１輪状絶縁キャップから外部へ突出し、前記樹脂製カバーの延長部の突起は、前記圧着端子の裏面に当接していることにより、圧着端子が第１輪状絶縁キャップに対して付勢され、圧着端子を確実に保持することができる。
また、前記第１輪状絶縁キャップの外方には、前記端子ピン及び前記ステータ巻線を覆うための輪状巻線カバーが設けられていることにより、ステータ巻線、端子ピン及び各輪状絶縁キャップを保護することができる。
【図面の簡単な説明】
【００１１】
【図１】本発明によるレゾルバステータのハーネス構造を示す断面構成図である。
【図２】図１の要部の拡大断面図である。
【図３】特許文献１のレゾルバステータのハーネス構造を示す平面図である。
【図４】特許文献２のレゾルバステータのハーネス構造を示す平面図である。
【図５】図４の右側面図である。
【発明を実施するための形態】
【００１２】
本発明によるレゾルバステータのハーネス構造は、レゾルバハーネスの引出し方向を輪状ステータの一面のみの面方向に対して所定角度傾斜させるようにした構成である。
【実施例】
【００１３】
以下、図面と共に本発明によるレゾルバステータのハーネス構造の好適な実施の形態について説明する。
尚、従来例と同一又は同等部分については、同一符号を用いて説明する。
図１において符号１で示されるものは輪状ステータであり、この輪状ステータ１の内面には所定角度間隔で内方に向けて突出する多数の突出磁極２が形成されている。
【００１４】
前記輪状ステータ１の両面には、成形による一体又は別体で設けられた第１、第２輪状絶縁キャップ３,３Ａが設けられ、前記各突出磁極２の外周には前記各輪状絶縁キャップ３,３Ａを介してステータ巻線４が巻回されている。
前記輪状ステータ１の一面１ａのみに位置する前記第１輪状絶縁キャップ３の内側には、端子ピン６を有する圧着端子２０が設けられ、前記端子ピン６は前記第１輪状絶縁キャップ３の端子ピン挿入口２１から上方に突出し、前記圧着端子２０に圧着して接続されたレゾルバハーネス１０は、外部に導出されている。
また、前記輪状ステータ１の両面側には、前記ステータ巻線４、端子ピン６及び各輪状絶縁キャップ３,３Ａを覆って保護するための一対の輪状巻線カバー２２，２２Ａが設けられている。
【００１５】
前記レゾルバハーネス１０を外部へ引出すための導出構造は、本発明において特に開発された構成である。
すなわち、前記圧着端子２０に一端が接続されたレゾルバハーネス１０は、前記第１輪状絶縁キャップ３と前記輪状ステータ１の外縁１Ｂに設けられ断面コ字型をなす樹脂製カバー２３との間に形成された断面で長手状の隙間２４を経て外部に導出されている。
【００１６】
前記隙間２４は、前記第１輪状絶縁キャップ３の下面に形成された第１傾斜面２５と前記樹脂製カバー２３の上面に形成された第２傾斜面２６との間に形成されており、前記隙間２４を前記レゾルバハーネス１０が貫通して外部に導出されている。
【００１７】
前記レゾルバハーネス０は、前記輪状ステータ１の両面のうちの一方の一面１ａのみに位置し、かつ、外方Ｂに向けて延設されている。
前記レゾルバハーネス１０の長手方向Ａは、前記輪状ステータ１の前記一面１ａのみの面方向Ｃに対し、かつ、前記一面１ａの外方Ｂへ向けて所定角度θ（適正導出方向）傾斜している。
従って、図示しないモータや装置等に対して、図１に示す輪状ステータ１を装着した場合、この輪状ステータ１の一面１ａ側のみに前記レゾルバハーネス１０が導出されているため、このレゾルバハーネス１０を所要の形状に曲折させることにより、モータや装置等の形状に対して障害とならないような輪状ステータの取付けを達成することができる。
【００１８】
前記端子ピン６は、前記第１輪状絶縁キャップ３から外部へ突出し、前記樹脂製カバー２３の延長部２３Ａの突起２３Ａａは、前記圧着端子２０の裏面２０Ａに当接し、この突起２３Ａａによって前記圧着端子２０が前記第１輪状絶縁キャップ３に対して付勢されることにより、前記圧着端子２０が前記第１輪状絶縁キャップ３内に固定配設されている。
尚、前記端子ピン６は、前記端子ピン挿入口２１から挿入、又は、圧着端子２０に一体形成された端子ピン６を下から上方へ貫通させて装着することができる。
【産業上の利用可能性】
【００１９】
本発明によるレゾルバステータのハーネス構造は、圧着端子に接続されたレゾルバハーネスが輪状ステータの一面のみにおいて、傾斜した状態で設けられているため、モータや装置等に対する取付けが容易で、小型化もできる。
【符号の説明】
【００２０】
１    輪状ステータ
１ａ    一面
１Ａ    面
２    突出磁極
３    第１輪状絶縁キャップ
３Ａ    第２輪状絶縁キャップ
４    ステータ巻線
６    端子ピン
１０    レゾルバハーネス
２０    圧着端子
２０Ａ    裏面
２１    端子ピン挿入口
２２,２２Ａ    輪状巻線カバー
２３    樹脂製カバー
２３Ａ    延長部
２３Ａａ    突起
２４    隙間
２５    第１傾斜面
２６    第２傾斜面
Ａ    長手方向
Ｂ    外方
Ｃ    面方向
【図１】
2015055587.tif 000003
【図２】
2015055587.tif 000004
【図３】
2015055587.tif 000005
【図４】
2015055587.tif 000006
【図５】
2015055587.tif 000007